(57)【要約】【課題】通信ネットワーク上に設けられたサイトの会員として登録するための装置を提供する。【解決手段】個人を確認するための第三者も認識可能な第１の情報と、第１の情報と対応し且つ第三者が認識不可能な第２の情報とを予め記憶する手段と、会員登録の申込者から第１の情報と第２の情報とを受け取る手段と、記憶した第１の情報と第２の情報とに基づいて、受け取った第１の情報と第２の情報とが対応するか否かの判定を行う手段と、受け取った第１の情報と第２の情報とが対応する場合に申込者を第１の情報に基づいて会員登録し、対応しない場合に会員登録しないようにする手段とを備える。【選択図】　　　図１
0003096874.tif 000002
【実用新案登録請求の範囲】
【請求項１】
インターネット上に設けられたサイトの会員の登録を行う装置であって、
（Ａ）　インターネットに接続されたコンピュータから送信された、会員登録用のフォームを要求するデータを、前記インターネットを介して受信する手段と、
（Ｂ）　前記Ａの手段で受信した前記会員登録用のフォームを要求する前記データに応答して、記憶手段に記憶されている前記フォームのデータを前記記憶手段から読み出し、前記インターネットを介して前記コンピュータへ送信する手段と、
（Ｃ）　前記コンピュータから送信された、前記フォームに従って入力された会員登録の申込者の個人情報を示す個人情報データと、クレジット・カードのカード番号を示すカード番号データとを、前記インターネットを介して受信する手段と、
（Ｄ）　前記Ｃの手段で受信した前記個人情報データと前記カード番号データとを関連付けて記憶する手段と、
（Ｅ）　前記コンピュータへ送信するための会員登録の申込みの受付番号を示す受付番号データを生成する手段と、
（Ｆ）　前記Ｅの手段で生成された前記受付番号データを、前記Ｄの手段において、前記カード番号データと関連付けて記憶する手段と、
（Ｇ）　前記受付番号データを、前記コンピュータへ、前記インターネットを介して送信する手段と、
（Ｈ）　電話機から入力されて送信された、前記受付番号データと、前記クレジット・カードの暗証番号を示す暗証番号データとを、電話回線を介して受信する手段と、
（Ｉ）　クレジット・カードの暗証番号を該クレジット・カードのカード番号に対応付けて記憶している情報処理装置に、前記コンピュータから受信した前記カード番号データと前記電話機から受信した前記暗証番号データとが対応しているか否かの判定を行わせるために、前記Ｈの手段で受信した前記受付番号データと関連付けされた前記カード番号データを前記Ｄの手段から読み出し、読み出した前記カード番号データと、前記Ｈの手段で受信した前記暗証番号データとを、前記情報処理装置へ、専用の通信回線を介して送信する手段と、
（Ｊ）　前記情報処理装置から送信された、前記カード番号データと前記暗証番号データとが対応しているか否かの前記判定の結果を示すデータを、前記専用の通信回線を介して受信し、前記判定の結果を示す前記データに基づいて、前記コンピュータから受信した前記カード番号データと前記電話機から受信した前記暗証番号データとが対応するか否かを判定する手段と、
（Ｋ）　前記判定の結果を示すデータが、前記コンピュータから受信した前記カード番号データと前記電話機から受信した前記暗証番号データとが対応することを示すものであると前記Ｊの手段が判定した場合に、前記Ｃの手段で受信して前記Ｄの手段で記憶された前記申込者の前記個人情報データと前記カード番号データとに基づいて前記申込者を前記サイトの会員として登録し、前記判定の結果を示すデータが、前記コンピュータから受信した前記カード番号データと前記電話機から受信した前記暗証番号データとが対応しないことを示すものであると前記Ｊの手段が判定した場合に、前記申込者を前記サイトの会員として登録することを拒否する手段と
を備える装置。
【請求項２】
前記Ｅの手段は、前記Ｃの手段が前記カード番号データを受信したときに前記受付番号データを生成する、請求項１に記載の装置。
【請求項３】
前記Ｅの手段は、前記Ｂの手段が受信した会員登録用のフォームを要求する前記データに応答して前記受付番号データを生成し、
前記Ｇの手段は、前記受付番号データを、前記Ｂの手段により送信される前記フォームの前記データと共に、前記コンピュータへ前記インターネットを介して送信する、
請求項１に記載の装置。
【請求項４】
インターネット上に設けられたサイトの会員の登録を行う装置であって、
（Ａ）　インターネットに接続されたコンピュータから送信された、会員登録用のフォームを要求するデータを、前記インターネットを介して受信する手段と、
（Ｂ）　前記Ａの手段で受信した前記会員登録用のフォームを要求する前記データに応答して、記憶手段に記憶されている前記フォームのデータを前記記憶手段から読み出し、前記インターネットを介して前記コンピュータへ送信する手段と、
（Ｃ）　前記コンピュータから送信された、前記フォームに従って入力された会員登録の申込者の個人情報を示す個人情報データと、クレジット・カードのカード番号を示すカード番号データおよび有効期限示す有効期限データを含むデータとを、前記インターネットを介して受信する手段と、
（Ｄ）　前記Ｃの手段で受信した前記個人情報データと、前記カード番号データおよび前記有効期限データを含む前記データとを関連付けて記憶する手段と、（Ｅ）　前記コンピュータへ送信するための会員登録の申込みの受付番号を示す受付番号データを生成する手段と、
（Ｆ）　前記Ｅの手段で生成された前記受付番号データを、前記Ｄの手段において、前記カード番号データおよび前記有効期限データを含む前記データと関連付けて記憶する手段と、
（Ｇ）　前記受付番号データを、前記コンピュータへ、前記インターネットを介して送信する手段と、
（Ｈ）　電話機から入力されて送信された、前記受付番号データと、前記クレジット・カードの暗証番号を示す暗証番号データとを、電話回線を介して受信する手段と、
（Ｉ）　クレジット・カードの暗証番号を該クレジット・カードのカード番号に対応付けて記憶し、且つ該クレジット・カードの有効期限を記憶している情報処理装置に、前記コンピュータから受信した前記カード番号データと前記電話機から受信した前記暗証番号データとが対応しているか否かと、前記カード番号および前記有効期限に基づいての前記クレジット・カードが決済に使用可能か否かとの判定を行わせるために、前記Ｈの手段で受信した前記受付番号データと関連付けされた前記カード番号データおよび前記有効期限データを含む前記データを、前記Ｄの手段から読み出し、読み出した前記カード番号データおよび前記有効期限データと、前記Ｈの手段で受信した前記暗証番号データとを、前記情報処理装置へ、専用の通信回線を介して送信する手段と、
（Ｊ）　前記情報処理装置から送信された、前記判定の結果を示すデータを、前記専用の通信回線を介して受信し、前記判定の結果を示す前記データが、前記コンピュータから受信した前記カード番号データと前記電話機から受信した前記暗証番号データとが対応しており且つ前記クレジット・カードが決済に使用できることを示す許可データであるか、または、前記コンピュータから受信した前記カード番号データと前記電話機から受信した前記暗証番号データとが対応しないこと又は前記クレジット・カードが決済に使用できないことを示す拒否データであるかを判定する手段と、
（Ｋ）　前記判定の結果を示す前記データが前記許可データであると前記Ｊの手段が判定した場合、前記サイトにおいて商取引を行う場合の決済手段として前記クレジット・カードを使用することを決定し、前記クレジット・カードを前記決済手段として使用することを示すデータを生成し、該データと、前記Ｃの手段で受信して前記Ｄの手段で記憶された前記申込者の前記個人情報データと、前記カード番号データと、前記有効期限データとを関連付けて記憶することにより、前記申込者を前記サイトの会員として登録し、前記判定の結果を示すデータが前記拒否データであると前記Ｊの手段が判定した場合、前記申込者を前記サイトの会員として登録することを拒否する手段と
を備える装置。
【請求項５】
前記Ｅの手段は、前記Ｃの手段が前記コンピュータから前記カード番号データおよび前記有効期限データを含む前記データを受信したときに、前記受付番号データを生成する、請求項４に記載の装置。
【請求項６】
前記Ｅの手段は、前記Ｂの手段が受信した会員登録用のフォームを要求する前記データに応答して前記受付番号データを生成し、
前記Ｇの手段は、前記受付番号データを、前記Ｂの手段により送信される前記フォームの前記データと共に、前記コンピュータへ前記インターネットを介して送信する、
請求項４に記載の装置。
【請求項７】
インターネット上に設けられたサイトの会員の登録を行う装置であって、
（Ａ）　インターネットに接続されたコンピュータから送信された、会員登録用のフォームを要求するデータを、前記インターネットを介して受信する手段と、
（Ｂ）　前記Ａの手段で受信した前記会員登録用のフォームを要求する前記データに応答して、記憶手段に記憶されている前記フォームのデータを前記記憶手段から読み出し、前記インターネットを介して前記コンピュータへ送信する手段と、
（Ｃ）　前記コンピュータから送信された、前記フォームに従って入力された会員登録の申込者の個人情報を示す個人情報データと、クレジット・カードのカード番号を示すカード番号データおよび有効期限を示す有効期限データを含むデータとを、前記インターネットを介して受信する手段と、
（Ｄ）　前記Ｃの手段で受信した前記個人情報データと、前記カード番号データおよび前記有効期限データを含む前記データとを関連付けて記憶する手段と、
（Ｅ）　クレジット・カードの暗証番号を該クレジット・カードのカード番号に対応付けて記憶し、且つ該クレジット・カードの有効期限を記憶している情報処理装置に、前記コンピュータから受信した前記カード番号データおよび前記有効期限データに基づいて、該クレジット・カードが決済に使用可能か否かの判定を行わせるために、前記Ｄの手段に記憶された前記カード番号データおよび前記有効期限データを読み出し、読み出した前記カード番号データおよび前記有効期限データを、前記情報処理装置へ、専用の通信回線を介して送信する手段と、
（Ｆ）　前記情報処理装置から送信された、前記カード番号データおよび前記有効期限データに基づく前記判定の結果を示すデータを、前記専用の通信回線を介して受信し、前記判定の結果を示す前記データが、前記クレジット・カードが決済に使用できることを示すか否かを判定する手段と、
（Ｇ）　前記判定の結果を示す前記データが、前記クレジット・カードが決済に使用できないことを示すものであると前記Ｆの手段が判定した場合に、前記申込者を前記サイトの会員として登録することを拒否し、前記判定の結果を示す前記データが、前記クレジット・カードが決済に使用できることを示すものであると前記Ｆの手段が判定した場合に、前記コンピュータへ送信するための会員登録の申込みの受付番号を示す受付番号データを生成する手段と、
（Ｈ）　前記Ｇの手段で生成された前記受付番号データを、前記Ｄの手段において、前記カード番号データおよび前記有効期限データを含む前記データと関連付けて記憶する手段と、
（Ｉ）　前記受付番号データを、前記コンピュータへ、前記インターネットを介して送信する手段と、
（Ｊ）　電話機から入力されて送信された、前記受付番号データと、前記クレジット・カードの暗証番号を示す暗証番号データとを、電話回線を介して受信する手段と、
（Ｋ）　前記情報処理装置に、前記コンピュータから受信した前記カード番号データと前記電話機から受信した前記暗証番号データとが対応しているか否かと、前記カード番号データおよび前記有効期限データに基づいての前記クレジット・カードが決済に使用可能か否かとの判定を行わせるために、前記Ｊの手段で受信した前記受付番号データと関連付けされた前記カード番号データおよび前記有効期限データを含む前記データを前記Ｄの手段から読み出し、読み出した前記カード番号データおよび前記有効期限データと、前記Ｊの手段で受信した前記暗証番号データとを、前記情報処理装置へ、前記専用の通信回線を介して送信する手段と、
（Ｌ）　前記情報処理装置から送信された、前記判定の結果を示すデータを、前記専用の通信回線を介して受信し、前記判定の結果を示す前記データが、前記コンピュータから受信した前記カード番号データと前記電話機から受信した前記暗証番号データとが対応しており且つ前記クレジット・カードが決済に使用できることを示す許可データであるか、または、前記コンピュータから受信した前記カード番号データと前記電話機から受信した前記暗証番号データとが対応しないこと又は前記クレジット・カードが決済に使用できないことを示す拒否データであるかを判定する手段と、
（Ｍ）　前記判定の結果を示す前記データが前記許可データであると前記Ｌの手段が判定した場合、前記サイトにおいて商取引を行う場合の決済手段として前記クレジット・カードを使用することを決定し、前記クレジット・カードを前記決済手段として使用することを示すデータを生成し、該データと、前記Ｃの手段で受信して前記Ｄの手段で記憶された前記申込者の前記個人情報データと、前記カード番号データと、前記有効期限データとを関連付けて記憶することにより、前記申込者を前記サイトの会員として登録し、前記判定の結果を示す前記データが前記拒否データであると前記Ｌの手段が判定した場合、前記申込者を前記サイトの会員として登録することを拒否する手段と
を備える装置。
【考案の詳細な説明】
【０００１】
【考案の属する技術分野】
本考案は、インターネット等の通信ネットワーク上に開設されたサイトを利用するための会員登録を行う装置に関する。
【０００２】
【従来の技術】
従来、インターネット上に設けられたサイトの中には、会員として登録したユーザに対してのみサービスを提供するサイトがある。そのようなサイトの例としては、物品を販売するサイトや、音声や画像等の情報を提供するサイトなどがある。
【０００３】
ユーザが、会員登録を行う際には、パーソナル・コンピュータなどの端末装置から、インターネットなどの通信ネットワークを介してサイト側へ、会員登録に必要なデータを送信する。会員登録に必要なデータは、ユーザの住所、氏名、電話番号、決済に用いるクレジット・カードのカード番号、該クレジット・カードの有効期限、希望のパスワードなどを含む。サイト側は、ユーザの端末装置から受信したデータ中のクレジット・カードのカード番号および該クレジット・カードの有効期限に基づいて、与信の判定を行う。（与信の判定は、クレジット会社へ依頼する。）与信の判定の結果として、クレジット・カードが決済に使用可能であると判定された場合に、サイト側は、そのユーザを会員として登録し、会員ＩＤ（会員番号）を通信ネットワークを介してユーザの端末装置へ送信する。ユーザは、会員ＩＤとパスワードとを用いて、そのサイトにアクセスし、そのサイトを介してのサービスを受けることが可能となる。
【０００４】
上記のような従来の会員登録の処理での、申込者を会員として登録するか否かの判断は、クレジット・カードのカード番号および有効期限のみに基づくものである。従って、或る者が他者のクレジット・カードのカード番号および有効期限を用いて容易に会員登録をすることができる欠点がある。
【０００５】
また、別の会員登録の方法としては、通信ネットワークを介して会員登録の申し込みを受け付けた後に、ユーザに付与する会員ＩＤを、電子的に通信ネットワークを介してユーザの端末装置へ送信せずに、紙等に記載して、会員登録フォームから読み出したユーザの住所へ、例えば、郵便の書留や配達記録郵便などのような配送記録を残す通信手段を用いて送る手法がある。この手法の場合、サイト側は、配送記録を基にして、会員ＩＤを記載した書類が配送先の住所で受け取られたか否かを手作業で確認する。例えば、郵便の場合には、郵便物を受け取った者が押した受領印を検査する。サイト側は、郵便物が受け取られたことを確認した後に、ユーザを正式に会員として登録する。
【０００６】
上記の手法では、ユーザが会員として登録されるまでに、ユーザ側とサイト側の双方において時間と手間がかかる欠点がある。
【０００７】
【考案が解決しようとする課題】
本考案は、上記の欠点を改良するものであり、新規な会員登録の装置を提供することを目的とする。
【０００８】
また、本考案は、会員登録の申込者の確認を正確かつ迅速に行うことを目的とする。
また、本考案は、会員登録を迅速且つ安全に行うことを目的とする。
【０００９】
【課題を解決するための手段】
本考案の装置は、インターネット上に設けられたサイトの会員の登録を行う装置（１）であって、（Ａ）インターネット（１１）に接続されたコンピュータ（２）から送信された、会員登録用のフォームを要求するデータを、前記インターネットを介して受信する手段（５、８）と、（Ｂ）前記Ａの手段で受信した前記会員登録用のフォームを要求する前記データに応答して、記憶手段（１０）に記憶されている前記フォームのデータを前記記憶手段から読み出し、前記インターネットを介して前記コンピュータへ送信する手段（５、７）と、（Ｃ）前記コンピュータから送信された、前記フォームに従って入力された会員登録の申込者の個人情報を示す個人情報データと、クレジット・カードのカード番号を示すカード番号データとを、前記インターネットを介して受信する手段（５、８）と、（Ｄ）前記Ｃの手段で受信した前記個人情報データと前記カード番号データとを関連付けて記憶する手段（１０）と、（Ｅ）前記コンピュータへ送信するための会員登録の申込みの受付番号を示す受付番号データを生成する手段（９）と、（Ｆ）前記Ｅの手段で生成された前記受付番号データを、前記Ｄの手段において、前記カード番号データと関連付けて記憶する手段（９、１０）と、（Ｇ）前記受付番号データを、前記コンピュータへ、前記インターネットを介して送信する手段（５、７）と、（Ｈ）電話機（３）から入力されて送信された、前記受付番号データと、前記クレジット・カードの暗証番号を示す暗証番号データとを、電話回線（１２）を介して受信する手段（６）と、（Ｉ）クレジット・カードの暗証番号を該クレジット・カードのカード番号に対応付けて記憶している情報処理装置（４）に、前記コンピュータから受信した前記カード番号データと前記電話機から受信した前記暗証番号データとが対応しているか否かの判定を行わせるために、前記Ｈの手段で受信した前記受付番号データと関連付けされた前記カード番号データを前記Ｄの手段から読み出し、読み出した前記カード番号データと、前記Ｈの手段で受信した前記暗証番号データとを、前記情報処理装置へ、専用の通信回線（１３）を介して送信する手段（９）と、（Ｊ）前記情報処理装置から送信された、前記カード番号データと前記暗証番号データとが対応しているか否かの前記判定の結果を示すデータを、前記専用の通信回線を介して受信し、前記判定の結果を示す前記データに基づいて、前記コンピュータから受信した前記カード番号データと前記電話機から受信した前記暗証番号データとが対応するか否かを判定する手段（９）と、（Ｋ）前記判定の結果を示すデータが、前記コンピュータから受信した前記カード番号データと前記電話機から受信した前記暗証番号データとが対応することを示すものであると前記Ｊの手段が判定した場合に、前記Ｃの手段で受信して前記Ｄの手段で記憶された前記申込者の前記個人情報データと前記カード番号データとに基づいて前記申込者を前記サイトの会員として登録し、前記判定の結果を示すデータが、前記コンピュータから受信した前記カード番号データと前記電話機から受信した前記暗証番号データとが対応しないことを示すものであると前記Ｊの手段が判定した場合に、前記申込者を前記サイトの会員として登録することを拒否する手段（７、９、１０）とを備える。
【００１０】
本考案の装置は、上記の装置において、前記Ｅの手段が、前記Ｃの手段が前記カード番号データを受信したときに前記受付番号データを生成するように構成される。
【００１１】
本考案の装置は、上記の装置において、前記Ｅの手段が、前記Ｂの手段が受信した会員登録用のフォームを要求する前記データに応答して前記受付番号データを生成するように構成され、前記Ｇの手段が、前記受付番号データを、前記Ｂの手段により送信される前記フォームの前記データと共に、前記コンピュータへ前記インターネットを介して送信するように構成される。
【００１２】
本考案の装置は、インターネット上に設けられたサイトの会員の登録を行う装置（１）であって、（Ａ）インターネット（１１）に接続されたコンピュータ（２）から送信された、会員登録用のフォームを要求するデータを、前記インターネットを介して受信する手段（５、８）と、（Ｂ）前記Ａの手段で受信した前記会員登録用のフォームを要求する前記データに応答して、記憶手段（１０）に記憶されている前記フォームのデータを前記記憶手段から読み出し、前記インターネットを介して前記コンピュータへ送信する手段（５、７）と、（Ｃ）前記コンピュータから送信された、前記フォームに従って入力された会員登録の申込者の個人情報を示す個人情報データと、クレジット・カードのカード番号を示すカード番号データおよび有効期限示す有効期限データを含むデータとを、前記インターネットを介して受信する手段（５、８）と、（Ｄ）前記Ｃの手段で受信した前記個人情報データと、前記カード番号データおよび前記有効期限データを含む前記データとを関連付けて記憶する手段（１０）と、（Ｅ）前記コンピュータへ送信するための会員登録の申込みの受付番号を示す受付番号データを生成する手段（９）と、（Ｆ）前記Ｅの手段で生成された前記受付番号データを、前記Ｄの手段において、前記カード番号データおよび前記有効期限データを含む前記データと関連付けて記憶する手段（９、１０）と、（Ｇ）前記受付番号データを、前記コンピュータへ、前記インターネットを介して送信する手段（５、７）と、（Ｈ）電話機（３）から入力されて送信された、前記受付番号データと、前記クレジット・カードの暗証番号を示す暗証番号データとを、電話回線（１２）を介して受信する手段（６）と、（Ｉ）クレジット・カードの暗証番号を該クレジット・カードのカード番号に対応付けて記憶し、且つ該クレジット・カードの有効期限を記憶している情報処理装置（４）に、前記コンピュータから受信した前記カード番号データと前記電話機から受信した前記暗証番号データとが対応しているか否かと、前記カード番号および前記有効期限に基づいての前記クレジット・カードが決済に使用可能か否かとの判定を行わせるために、前記Ｈの手段で受信した前記受付番号データと関連付けされた前記カード番号データおよび前記有効期限データを含む前記データを、前記Ｄの手段から読み出し、読み出した前記カード番号データおよび前記有効期限データと、前記Ｈの手段で受信した前記暗証番号データとを、前記情報処理装置へ、専用の通信回線（１３）を介して送信する手段（９）と、（Ｊ）前記情報処理装置から送信された、前記判定の結果を示すデータを、前記専用の通信回線を介して受信し、前記判定の結果を示す前記データが、前記コンピュータから受信した前記カード番号データと前記電話機から受信した前記暗証番号データとが対応しており且つ前記クレジット・カードが決済に使用できることを示す許可データであるか、または、前記コンピュータから受信した前記カード番号データと前記電話機から受信した前記暗証番号データとが対応しないこと又は前記クレジット・カードが決済に使用できないことを示す拒否データであるかを判定する手段（９）と、（Ｋ）前記判定の結果を示す前記データが前記許可データであると前記Ｊの手段が判定した場合、前記サイトにおいて商取引を行う場合の決済手段として前記クレジット・カードを使用することを決定し、前記クレジット・カードを前記決済手段として使用することを示すデータを生成し、該データと、前記Ｃの手段で受信して前記Ｄの手段で記憶された前記申込者の前記個人情報データと、前記カード番号データと、前記有効期限データとを関連付けて記憶することにより、前記申込者を前記サイトの会員として登録し、前記判定の結果を示すデータが前記拒否データであると前記Ｊの手段が判定した場合、前記申込者を前記サイトの会員として登録することを拒否する手段（７、９）とを備える。
【００１３】
本考案の装置は、上記の装置において、前記Ｅの手段が、前記Ｃの手段が前記コンピュータから前記カード番号データおよび前記有効期限データを含む前記データを受信したときに、前記受付番号データを生成するように構成される。
【００１４】
本考案の装置は、上記の装置において、前記Ｅの手段が、前記Ｂの手段が受信した会員登録用のフォームを要求する前記データに応答して前記受付番号データを生成するように構成され、前記Ｇの手段が、前記受付番号データを、前記Ｂの手段により送信される前記フォームの前記データと共に、前記コンピュータへ前記インターネットを介して送信するように構成される。
【００１５】
本考案の装置は、インターネット上に設けられたサイトの会員の登録を行う装置（１）であって、（Ａ）インターネット（１１）に接続されたコンピュータ（２）から送信された、会員登録用のフォームを要求するデータを、前記インターネットを介して受信する手段（５、８）と、（Ｂ）前記Ａの手段で受信した前記会員登録用のフォームを要求する前記データに応答して、記憶手段（１０）に記憶されている前記フォームのデータを前記記憶手段から読み出し、前記インターネットを介して前記コンピュータへ送信する手段（５、７）と、（Ｃ）前記コンピュータから送信された、前記フォームに従って入力された会員登録の申込者の個人情報を示す個人情報データと、クレジット・カードのカード番号を示すカード番号データおよび有効期限を示す有効期限データを含むデータとを、前記インターネット（１１）を介して受信する手段（５、８）と、（Ｄ）前記Ｃの手段で受信した前記個人情報データと、前記カード番号データおよび前記有効期限データを含む前記データとを関連付けて記憶する手段（１０）と、（Ｅ）クレジット・カードの暗証番号を該クレジット・カードのカード番号に対応付けて記憶し、且つ該クレジット・カードの有効期限を記憶している情報処理装置（４）に、前記コンピュータから受信した前記カード番号データおよび前記有効期限データに基づいて、該クレジット・カードが決済に使用可能か否かの判定を行わせるために、前記Ｄの手段に記憶された前記カード番号データおよび前記有効期限データを読み出し、読み出した前記カード番号データおよび前記有効期限データを、前記情報処理装置へ、専用の通信回線（１３）を介して送信する手段（９）と、
（Ｆ）　前記情報処理装置から送信された、前記カード番号データおよび前記有効期限データに基づく前記判定の結果を示すデータを、前記専用の通信回線を介して受信し、前記判定の結果を示す前記データが、前記クレジット・カードが決済に使用できることを示すか否かを判定する手段（９）と、（Ｇ）前記判定の結果を示す前記データが、前記クレジット・カードが決済に使用できないことを示すものであると前記Ｆの手段が判定した場合に、前記申込者を前記サイトの会員として登録することを拒否し、前記判定の結果を示す前記データが、前記クレジット・カードが決済に使用できることを示すものであると前記Ｆの手段が判定した場合に、前記コンピュータへ送信するための会員登録の申込みの受付番号を示す受付番号データを生成する手段（９）と、（Ｈ）前記Ｇの手段で生成された前記受付番号データを、前記Ｄの手段において、前記カード番号データおよび前記有効期限データを含む前記データと関連付けて記憶する手段（９、１０）と、
（Ｉ）　前記受付番号データを、前記コンピュータへ、前記インターネットを介して送信する手段（５、７）と、（Ｊ）電話機（３）から入力されて送信された、前記受付番号データと、前記クレジット・カードの暗証番号を示す暗証番号データとを、電話回線（１２）を介して受信する手段（６）と、（Ｋ）前記情報処理装置に、前記コンピュータから受信した前記カード番号データと前記電話機から受信した前記暗証番号データとが対応しているか否かと、前記カード番号データおよび前記有効期限データに基づいての前記クレジット・カードが決済に使用可能か否かとの判定を行わせるために、前記Ｊの手段で受信した前記受付番号データと関連付けされた前記カード番号データおよび前記有効期限データを含む前記データを前記Ｄの手段から読み出し、読み出した前記カード番号データおよび前記有効期限データと、前記Ｊの手段で受信した前記暗証番号データとを、前記情報処理装置へ、前記専用の通信回線を介して送信する手段（９）と、（Ｌ）前記情報処理装置から送信された、前記判定の結果を示すデータを、前記専用の通信回線を介して受信し、前記判定の結果を示す前記データが、前記コンピュータから受信した前記カード番号データと前記電話機から受信した前記暗証番号データとが対応しており且つ前記クレジット・カードが決済に使用できることを示す許可データであるか、または、前記コンピュータから受信した前記カード番号データと前記電話機から受信した前記暗証番号データとが対応しないこと又は前記クレジット・カードが決済に使用できないことを示す拒否データであるかを判定する手段（９）と、（Ｍ）前記判定の結果を示す前記データが前記許可データであると前記Ｌの手段が判定した場合、前記サイトにおいて商取引を行う場合の決済手段として前記クレジット・カードを使用することを決定し、前記クレジット・カードを前記決済手段として使用することを示すデータを生成し、該データと、前記Ｃの手段で受信して前記Ｄの手段で記憶された前記申込者の前記個人情報データと、前記カード番号データと、前記有効期限データとを関連付けて記憶することにより、前記申込者を前記サイトの会員として登録し、前記判定の結果を示す前記データが前記拒否データであると前記Ｌの手段が判定した場合、前記申込者を前記サイトの会員として登録することを拒否する手段（７、９）とを備える。
【００１６】
【考案の実施の形態】
図１は、本考案の一実施形態の会員登録を行う装置の全体的な構成を示す。
この装置は、本考案の、通信ネットワーク上に開設されたサイトを利用するための会員登録を行う会員登録装置１と、会員登録を希望するユーザの端末装置２と、該ユーザが使用する電話機３（携帯電話等を含む）と、ユーザが所有するクレジット・カードを発行したクレジット会社（クレジット会社の情報処理装置）４とを含む。
【００１７】
会員登録装置１は、Ｗｅｂサーバ５と、音声応答装置（ＩＶＲ）６と、登録サーバ７とを備える。Ｗｅｂサーバ５は、会員登録に関するデータを、例えば、インターネットなどの通信ネットワーク１１を介して端末装置２と通信する新規登録受付部８を備える。音声応答装置６は、会員登録に関するデータを、例えば、電話回線１２を介して電話機３と通信する。登録サーバ７は、会員登録に関する処理を行う処理部９と、会員登録に関する情報を記憶する記憶部１０とを備える。処理部９は、端末装置２から通信ネットワークを介して入力されたデータを新規登録受付部８を介して受信し、電話機３から電話回線を介して入力されたデータを音声応答装置６を介して受信する。また、登録サーバ７は、専用の通信回線１３を介して、クレジット会社（クレジット会社の情報処理装置）４と結合されている。専用の通信回線１３の例としては、ＮＴＴデータ社のＣＡＦＩＳというシステムが使用する通信回線があり、このシステムはこの通信回線を用いて、クレジット会社や金融機関などの金融に関連する会社間で金に関連するデータを通信する。
【００１８】
端末装置２は、例えば、パーソナル・コンピュータのような、インターネット等の通信ネットワークを介して会員登録装置１とデータの通信が可能な装置であり、従来と同様に、入力装置、表示装置、記憶装置などを備える。
【００１９】
クレジット会社４は、該クレジット会社４に会員として登録しているユーザの個人情報と、ユーザを識別する登録番号（クレジット・カードのカード番号）と、該登録番号に対応付けられた暗証番号とを記録している。暗証番号は、ユーザとクレジット会社の担当者のみが知るものであり、第三者（即ち、ユーザとクレジット会社の担当者以外の者）は知ることができない。
【００２０】
図２および図３は、会員登録装置１の動作を示すフローチャートである。
次に、会員登録装置１の動作を、図１、図２および図３を参照して説明する。図２のステップ１において、会員登録装置１は、会員登録を希望するユーザの端末装置２から、インターネット等の通信ネットワーク１１を介して、会員登録のための会員登録フォームを要求するデータを、Ｗｅｂサーバ５の新規登録受付部８で受信する。
【００２１】
ステップ２において、会員登録装置１のＷｅｂサーバ５の新規登録受付部８は、会員登録フォームを要求するデータに応答して、通信ネットワーク１１を介して端末装置２へ会員登録フォームを送信する。端末装置２は、受信した会員登録フォームを表示装置に表示する。ユーザは、入力装置を用いて、会員の登録の申し込みに必要なデータ（会員登録申込データ）を会員登録フォームに入力する。会員登録申込データは、ユーザが会員として登録された時に使用する希望の会員ＩＤ、希望のパスワード、氏名、住所、郵便番号、電話番号、生年月日、Ｅメール・アドレスなどを含む。会員登録フォームへの会員登録申込データの入力が完了すると、端末装置２は、通信ネットワーク１１を介して、会員登録申込データを会員登録装置１へ送信する。
【００２２】
ステップ３において、会員登録装置１のＷｅｂサーバ５の新規登録受付部８は、端末装置２から、ユーザにより入力された会員登録申込データを受信し、登録サーバ７の処理部９へ送信する。処理部９は、会員登録申込データ中に修正を必要とする個所があるか否かを検査する。例えば、数字を入力すべき個所に文字が入力されている等の入力エラーや、ユーザが希望する会員ＩＤが、既に登録されている他のユーザの会員ＩＤと重複していないか等を検査する。
【００２３】
ステップ４において、処理部９が、会員登録申込データに、修正する必要がある個所があると判断した場合に、ステップ５において、処理部９は新規登録受付部８へ、会員登録申込データ中の修正を必要とする個所を指摘するデータを送信する。新規登録受付部８は、このデータに応答して、修正の必要がある個所を明示した会員登録フォームと、その個所へのデータの再入力を促すメッセージとを端末装置２へ送信する。なお、会員登録フォーム中の修正が不要である個所は、最初に入力されたデータをそのまま維持する。
【００２４】
ステップ４において、処理部９が、会員登録申込データに修正が必要な個所がないと判断した場合に、ステップ６において、処理部９は、その会員登録申込データを記憶部１０に記憶する。会員登録装置１は、ユーザから受信した会員登録申込データの内容、即ち、氏名や住所などの個人情報の真偽は検査せずに、このユーザを会員として登録する。ただし、この段階では、ユーザを、このサイトが提供する機能のうちの一部のみの使用を許可される準会員として登録する。この例では、準会員には、サイトのコンテンツの一部の閲覧のみが許可される。
【００２５】
また、処理部９は、新規登録受付部８へ、準会員としての登録が完了した旨を示すデータを送信する。新規登録受付部８は、そのデータに応答して、端末装置２へ、ユーザが準会員として登録された旨のメッセージを送信する。
【００２６】
ステップ７において、会員登録装置１のＷｅｂサーバ５の新規登録受付部８は、通信ネットワーク１１を介して端末装置２へ、ユーザが、このサイトが提供するすべての機能を使用することを許可される正規の会員（正会員）として登録することを希望するか否かを意思表示させるためのフォームを送信する。この例では、正会員は決済サービスを受けられる。即ち、サイトにおいて決済を必要とする手続を行うことを許可される。例えば、サイトがネット・ショッピングのサイトである場合には、正会員は物品を購買することが可能となる。
【００２７】
ユーザが正会員としての登録を希望しない場合、ユーザは、その旨を示すデータを端末装置２から会員登録装置１のＷｅｂサーバ５の新規登録受付部８へ送信する。会員登録装置１は、そのデータに応答して会員登録の処理を終了する。
【００２８】
ユーザが正会員としての登録を希望する場合、ユーザは、その旨を示すデータを端末装置２から会員登録装置１へ送信する。会員登録装置１のＷｅｂサーバ５の新規登録受付部８は、ユーザが正会員としての登録を希望する旨を示すデータを受信すると、ステップ８において、正会員として登録するための正会員登録フォームを端末装置２へ送信し、表示装置に表示させる。ユーザは、端末装置２の入力装置を用いて、正会員としての登録に必要なデータ（正会員登録データ）を正会員登録フォームに入力する。正会員登録データは、ユーザのクレジット・カードのカード番号とクレジット・カードの有効期限とを含む。ユーザが正会員登録データの入力を完了すると、その正会員登録データを、端末装置２から通信ネットワーク１１を介して会員登録装置１へ送信する。
【００２９】
ステップ９において、会員登録装置１のＷｅｂサーバ５の新規登録受付部８は、端末装置２から、ユーザにより入力された正会員登録データを受信し、登録サーバ７の処理部９へ送信する。処理部９は、正会員登録データを、ステップ６で記憶した会員登録申込データと関連付けて記憶部１０に記憶する。
【００３０】
ステップ１０において、処理部９は、正会員登録データからクレジット・カードのカード番号を読み出し、そのカード番号を基にして、クレジット・カードを発行したクレジット会社を判定する。
【００３１】
ステップ１１において、処理部９は、正会員登録データから読み出したカード番号と有効期限とを、上記ステップ１０で判定したクレジット会社（クレジット会社の情報処理装置）４へ、通信回線１３を介して送信し、そのクレジット会社で、そのクレジット・カード、即ち、そのクレジット・カードの所有者に関しての与信の判定を、カード番号と有効期限とに基づいて行わせる。
【００３２】
ステップ１２において、会員登録装置１の処理部９は、通信回線１３を介してクレジット会社４から与信の判定の結果を示すデータ、即ち、ユーザのクレジット・カードが使用可能（許可）か使用不可能（拒否）かを示す与信判定結果データを受信する。
【００３３】
ステップ１３において、会員登録装置１の処理部９は、与信判定結果データから与信結果を読み出す。与信結果が拒否を示す場合、即ち、クレジット・カードが決済に使用できないことを示す場合に、ステップ１４において、処理部９は、記憶部１０に記憶されているそのユーザの会員登録申込データおよび正会員登録データに、そのユーザのクレジット・カードが決済に使用できないと判定された旨を示すデータを付加する。次いで、処理部９は、Ｗｅｂサーバ５の新規登録受付部８へ、正会員登録の申込みを拒否する旨を示すデータを送信する。新規登録受付部８は、そのデータに応答して、端末装置２へ、通信ネットワーク１１を介して、正会員登録の申込みが拒否された旨のメッセージを送信する。このメッセージを送信後、会員登録装置１は、会員登録の処理を終了する。
【００３４】
ステップ１３において、与信結果が許可を示す場合、即ち、与信結果が、クレジット・カードが決済に使用できることを示す場合に、処理は図３のステップ１５へ続く。
【００３５】
図３のステップ１５において、会員登録装置１の処理部９は、この正会員登録の申込みの受付番号を生成し、記憶部１０に記憶されたこのユーザの会員登録申込データおよび正会員登録データと関連付けて記憶する。次に、処理部９は、この受付番号と、音声応答装置（ＩＶＲ）６の電話番号とを、Ｗｅｂサーバ５の新規登録受付部８および通信ネットワーク１１を介して端末装置２へ送信し、端末装置２の表示装置で表示させる。
【００３６】
ユーザは、表示装置に表示された受付番号と電話番号とを、例えば、紙などに記録する。ユーザは、受付番号と電話番号とを記録すると、通信ネットワーク１１を介しての端末装置２と会員登録装置１との通信を終了することができる。
【００３７】
次に、ユーザは、電話回線１２に結合された電話機３を用いて、音声応答装置６の電話番号へ電話する。音声応答装置６は、電話機３からの電話回線１２を介しての呼び出しに応答して、電話機３との通信を開始する。音声応答装置６は、まず、電話機３のボタン（０〜９、＃のボタンなど）を用いて受付番号とクレジット・カードの暗証番号とを入力する方法を説明する音声メッセージを、電話機３へ送信する。ユーザは、説明された方法に従って、受付番号とクレジット・カードの暗証番号とを電話機３から入力する。ここで、暗証番号の送信に電話回線を用いるのは、電話回線が、インターネットなどの通信ネットワークと比較して安全性および機密性が高く、従って、暗証番号が盗まれる可能性が低くなるからである。
【００３８】
ステップ１６において、音声応答装置６は、電話機３から、電話回線１２を介して、受付番号とクレジット・カードの暗証番号とを受信する。音声応答装置６は、受付番号と暗証番号とを受信すると、電話機３へ、電話を切らずに待機することを指示するメッセージを送信する。
【００３９】
次に、音声応答装置６は、電話機３から受信した受付番号と暗証番号とを、登録サーバ７の処理部９へ送信する。処理部９は、受信した受付番号を基にして、記憶部１０に記憶された正会員登録データの中から、このユーザの正会員登録データを読み出し、その正会員登録データ中のクレジット・カードのカード番号と有効期限とを読み出す。次いで、処理部９は、読み出したクレジット・カードのカード番号を基にして、そのクレジット・カードを発行したクレジット会社を判別する。
【００４０】
ステップ１７において、登録サーバ７の処理部９は、ユーザのクレジット・カードを発行したクレジット会社４へ、クレジット・カードのカード番号、有効期限、及び暗証番号を、専用の通信回線１３を介して送信する。クレジット会社４は、受信したカード番号と暗証番号とが対応するか否かの判定を行う。暗証番号は、クレジット・カードの所有者のみが知るものと想定されているので、カード番号と暗証番号とが対応した場合には、クレジット会社４でそのカード番号に対応して登録されているカード会員（クレジット会社に会員として登録している者）が、このサイトの正会員登録の申込者であると判断する。即ち、このクレジット・カードの正当な所有者がこの正会員登録の申込者であると判断する。
【００４１】
クレジット会社４は、更に、カード番号および有効期限に基づいて与信の判定も行う。
次に、クレジット会社４は、カード番号と暗証番号とが対応し且つクレジット・カードが決済に使用できることを示す「許可データ」か、又は、カード番号と暗証番号とが対応しないこと又は何らかの理由（例えば、ユーザの信用がない）でクレジット・カードが決済に使用できないことを示す「拒否データ」かの何れかを含む判定結果データを、通信回線１３を介して会員登録装置１へ送信する。
【００４２】
この実施形態では、クレジット会社４から会員登録装置１へ送信される拒否データには、カード番号と暗証番号とが対応しなかったことを示すデータ（拒否理由データ）、又はクレジット・カードが決済に使用できないことを示す拒否理由データの何れかを含ませる。即ち、拒否データに、１つの拒否理由データのみを含ませる。従って、クレジット会社４が、カード番号と暗証番号とが対応せず且つクレジット・カードが決済に使用できないと判定した場合、即ち、上記の両方の拒否理由データを生成した場合には、クレジット会社４は、会員登録装置１へ送信する拒否データに、カード番号と暗証番号とが対応しないことを示す拒否理由データを優先して含ませる（クレジット・カードが決済に使用できないことを示す拒否理由データを含ませない）。拒否データに、クレジット・カードが決済に使用できないことを示す拒否理由データが含まれていた場合、即ち、カード番号と暗証番号とが対応しないことを示す拒否理由データが含まれていない場合には、カード番号と暗証番号とが対応したことになる。
【００４３】
ステップ１８において、会員登録装置１の登録サーバ７の処理部９は、クレジット会社４から判定結果データを受信する。
ステップ１９において、登録サーバ７の処理部９は、判定結果データが、拒否データを含むか又は許可データを含むかを判定する。
【００４４】
拒否データを含む場合には、ステップ２０において、処理部９は、拒否データに含まれる拒否理由データを検査し、拒否理由データが、カード番号と暗証番号とが対応しないことを示すか否か（即ち、「暗証番号違い」であったことを示すか否か）を判定する。
【００４５】
処理部９は、拒否データが、カード番号と暗証番号とが対応しないことを示す拒否理由データを含む場合に、その拒否データの受取回数をカウントし、そのカウント値を会員登録申込データおよび正会員登録データに関連付けて記憶しておく。カウント値の初期値は０であり、そのような拒否データを受け取る毎にカウント値に１を加算する。処理部９は、カウント値に１を加算後に、ステップ２１へ進む。次いで、ステップ２１において、処理部９は、ステップ１９において、電話機３と音声応答装置６との間の接続を解除せずに３回連続して、カード番号と暗証番号とが対応しないことを示す拒否理由データを含む拒否データを受け取ったか否かを判断する。３回連続して受け取っていない場合には、ステップ２２において、処理部９は、音声応答装置６および電話回線１２を介して電話機３へ、受付番号と暗証番号とを再入力することを促すメッセージを送信し、ステップ１６以降のステップを反復する。
【００４６】
ステップ２１において、ステップ１９において３回連続して、カード番号と暗証番号とが対応しないことを示す拒否理由データを含む拒否データを受け取ったと判断した場合にはステップ２３へ進む。ステップ２３において、処理部９は、音声応答装置６および電話回線１２を介して電話機３へ、正会員登録の申込みが拒否された旨のメッセージを送信する。
【００４７】
処理部９は、記憶部１０に記憶されたそのユーザの会員登録申込データおよび正会員登録データに関連付けて記憶したカウント値のデータ（この場合、３）はそのまま維持する。ここでは、３回連続して誤ったデータ（誤った暗証番号）が入力された場合に、電話機３と音声応答装置６との間の接続を解除し、正会員登録の処理を一旦終了するようにしたが、この回数は、任意に設定できる。また、この正会員登録を一旦終了した時点では、そのユーザのクレジット・カードが正会員登録の申込みに使用できない旨を示すデータを正会員登録データに付加しない。クレジット・カードが正会員登録の申込みに使用できない旨を示すデータは、以下に説明するように、電話機３から誤ったデータが合計で６回入力された時点（即ち、クレジット会社４から、カード番号と暗証番号とが対応しないことを示す拒否理由データを含む拒否データを６回受信した時点）で付加される。なお、この回数も任意に設定できる。
【００４８】
また、上記のステップにおいて３回連続して誤った暗証番号を入力した結果として、正会員登録を拒否されたユーザ、即ち、正会員登録の処理を一旦終了されてしまったユーザや、正会員登録の申込みを途中でユーザ側から中断したユーザは、再度、正会員登録を申込むことができる。
【００４９】
以前に正会員登録を拒否されたユーザや申込みを途中で中断したユーザが、前回拒否された時と同じクレジット・カードの番号を使用して上記と同様に申込みを行い、その結果として、会員登録装置１の登録サーバ７の処理部９が、クレジット会社４から、カード番号と暗証番号とが対応しないことを示す拒否理由データを含む拒否データを受け取った場合には、そのユーザに対して記憶されているカウント値に１を加算する。カード番号と暗証番号とが対応しないことを示す拒否理由データを含む拒否データをステップ１９において受け取った回数の合計が６になった場合、即ち、記憶されているカウント値が６になった場合には、そのユーザが申込みに用いたクレジット・カードが正会員登録の申込みに使用できない旨を示すデータを正会員登録データに付加する。このデータが付加されると、そのクレジット・カードを用いての正会員登録ができなくなる。即ち、多数回（この実施形態では６回）にわたって誤った暗証番号を入力した申込者については、その申込者が、クレジット会社４でそのクレジット・カードのカード番号に対応して登録されているカード会員（クレジット会社に会員として登録している者）ではないと判断し、そのクレジット・カードを用いての正会員登録をできなくする。次いで、処理部９は、音声応答装置６および電話回線１２を介して電話機３へ、正会員登録の申込みが拒否された旨のメッセージを送信する。
【００５０】
ステップ２０において、処理部９が、拒否データに、カード番号と暗証番号とが対応しないことを示す拒否理由データが含まれていないと判定した場合、即ち、拒否データに、クレジット・カードが使用できないことを示す拒否理由データが含まれている場合には、ステップ２３へ進み、処理部９は、音声応答装置６および電話回線１２を介して電話機３へ、正会員登録の申込みが拒否された旨のメッセージを送信し、正会員登録の処理を終了する。
【００５１】
ステップ１９において、判定結果データに許可データが含まれていた場合、即ち、カード番号と暗証番号とが対応し且つクレジット・カードが決済に使用できることを示す場合には、ステップ２４へ進む。処理部９は、許可データに基づいて、正会員登録の申込者が、カード番号に対応してクレジット会社４に登録されているカード会員であると判断する。また、許可データは、クレジット・カードが決済に使用できることも示すので、それに基づいて、そのクレジット・カードをこのサイトにおける決済手段として使用することを決定する。処理部９は、記憶部１０に記憶されたそのユーザの会員登録申込データおよび正会員登録データに、そのユーザのクレジット・カードを決済に使用することを決定した旨を示すデータを付加し、そのユーザを正会員として登録する。次いで、処理部９は、音声応答装置６および電話回線１２を介して電話機３へ、ユーザが正会員として登録された旨のメッセージを送信する。この正会員としての登録により、ユーザは、サイトが提供する全ての機能を使用することを許可される。この例では、サイトにおいて決済を必要とする手続が可能となる。正会員として登録されたユーザは、例えば、サイトが提供する物やサービスを購買することが可能となり、購買した物に対する金の支払いは、自動的に、会員登録装置１の記憶部１０に記憶されたユーザのクレジット・カードを用いて行われる。
【００５２】
以上で、会員登録の処理が終了する。会員登録装置１の記憶部１０は、会員登録装置１を上記のステップに従って動作させるためのプログラムを記憶している。
【００５３】
上記の実施形態では、正会員登録のステップにおいて、第１段階として、クレジット・カードのカード番号と有効期限とを用いて与信の判定を行い、その与信の判定の結果が、クレジット・カードが決済に使用できることを示す場合に、第２段階として、クレジット・カードのカード番号と暗証番号とを用いて、登録申込者がクレジット・カードの正当な所有者（クレジット会社に登録された者）であるか否かの判定を行い、且つカード番号と有効期限とを用いて再度与信の判定を行うように構成した。
【００５４】
しかし、別の実施形態として、第１段階のステップを省略することも可能である。例えば、ユーザが正会員登録を希望した場合に、まず、正会員登録の申込みのための正会員登録フォームを端末装置２へ送信する。ユーザ側では、端末装置２を用いて正会員登録フォームにクレジット・カードのカード番号と有効期限とを入力して会員登録装置１へ送信する。会員登録装置１は、カード番号と有効期限とを受信すると、受付番号を生成し、カード番号および有効期限とともに、登録サーバ７の記憶部１０に記憶されたユーザの会員登録申込データと関連付けて記憶する。この時点では、カード番号と有効期限とをクレジット会社４へ送信しない。次に、その受付番号と、音声応答装置６の電話番号とを、Ｗｅｂサーバ５の新規登録受付部８および通信ネットワーク１１を介して端末装置２へ送信し、端末装置２の表示装置で表示させる。ユーザ側は、電話機３を用いて、その受付番号とクレジット・カードの暗証番号とを、会員登録装置１の音声応答装置６へ送信する。次に、会員登録装置１は、電話機３から受信した受付番号を基にして、記憶部１０に記憶しているカード番号を読み出し、そのカード番号と暗証番号とをクレジット会社４へ送信し、以下、上記の実施形態と同様の処理（カード番号と暗証番号とが対応するか否かの判定、および与信の判定を含む）を行う。
【００５５】
第１段階のステップを省略する更に別の実施形態も可能である。例えば、ユーザが正会員登録を希望した場合に、まず、受付番号を生成し、登録サーバ７の記憶部１０に記憶されたユーザの会員登録申込データと関連付けて記憶する。次に、正会員登録の申込みのための正会員登録フォームを端末装置２へ送信するステップにおいて、正会員登録フォームに、受付番号と、音声応答装置６の電話番号とを付加し、Ｗｅｂサーバ５の新規登録受付部８および通信ネットワーク１１を介して端末装置２へ送信し、端末装置２の表示装置で表示させる。次に、ユーザ側で端末装置２を用いて正会員登録フォームにクレジット・カードのカード番号と有効期限とを入力して会員登録装置１へ送信し、電話機３を用いて受付番号とクレジット・カードの暗証番号とを入力して会員登録装置１へ送信する。会員登録装置１は、端末装置２から受信したカード番号と有効期限とを受付番号と関連付けて記憶する。次に、会員登録装置１は、電話機３から受信した受付番号を基にして、記憶したカード番号を読み出し、暗証番号とともにクレジット会社４へ送信し、以下、上記の実施形態と同様の処理を行う。
【００５６】
また、上記の実施形態では、申込者を２種類の会員（準会員と正会員）に分類して登録したが、登録する会員の種類を１種類にすることもできる。即ち、上記の実施形態における準会員を登録せず、正会員のみを登録するように構成することもできる。
【００５７】
また、クレジット・カードの代りに、デビット・カード（銀行等の金融機関が発行したキャッシュ・カード）を用いることも可能である。その場合には、クレジット・カードのカード番号と暗証番号との代りに、デビット・カード（キャッシュ・カード）のカード番号（口座番号）と暗証番号とをユーザに要求し、カード番号と暗証番号とが対応するか否かを金融機関で判定させる。
【００５８】
また、上記の実施形態では、正会員登録の申込みにおいて、クレジット・カードのカード番号と暗証番号とが一致し且つ与信の判定結果が「許可」の場合にのみ正会員として登録した。しかし、別の実施形態としては、電子商取引を行わないサイトのような、クレジット・カードのカード番号の登録を必要としないサイト等の会員登録においても、申込者を確認するためにクレジット・カードのカード番号と暗証番号とを用いることができる。このような場合において、会員登録装置がクレジット会社から受信すべきデータは、クレジット・カードのカード番号と暗証番号とが対応するか否かの判定結果を示すデータのみでよい（与信の判定結果のデータは不要である）。会員登録装置は、クレジット会社から受信した判定結果データが、クレジット・カードのカード番号と暗証番号とが対応することを示す場合に、ユーザを会員として登録し、対応しないことを示す場合にはユーザを会員として登録しないようにする。また、個人を識別する登録番号と、該登録番号に対応付けられる暗証番号とを記録し、会員登録側からの要求に応じて、申込者から受け取った登録番号と暗証番号とが対応するか否かを検査するシステムがあれば、そのシステムを用いることも可能である。即ち、そのシステムにおける登録番号および該登録番号に対応付けられる暗証番号を、クレジット・カードのカード番号および暗証番号の代りに用いることが可能である。
【００５９】
また、上記の実施形態では、会員登録装置１とクレジット会社の情報処理装置４とを通信回線１３で結合しているが、会員登録装置１とクレジット会社の情報処理装置４とを一体化することも可能である。
【００６０】
また、上記の実施形態では、ユーザ側から会員登録装置１へ、クレジット・カードのカード番号を通信ネットワーク１１を介して送信し、暗証番号を電話回線１２を介して送信するように構成した。しかし、安全性および機密性の高い適当な通信手段であれば、その通信手段を、暗証番号をユーザ側から会員登録装置へ送信すために使用してもよい。
【００６１】
【考案の効果】
本考案では、通信ネットワーク上に設けられたサイトの会員登録を行うために、（１）予め、個人を確認するための第三者も認識可能な第１の情報と、該第１の情報と対応し且つ第三者が認識不可能な第２の情報とを記憶しておき、（２）会員登録の申込者から、第１の情報を受け取り、（３）申込者から、第２の情報を受け取り、（４）予め記憶している第１の情報と第２の情報とに基づいて、申込者から受け取った第１の情報と第２の情報とが対応するか否かの判定を行い、（５）申込者から受け取った第１の情報と第２の情報とが対応する場合に、申込者を第１の情報に基づいて会員登録し、対応しない場合に、会員登録しないように構成した。
【００６２】
第２の情報（暗証番号）は、予め第１の情報と第２の情報とを記憶させている個人のみが知るものであるので、会員登録の申込みの際に、第１の情報（例えば、クレジット・カードのカード番号）と、第２の情報（例えば、カード番号に対応付けられた暗証番号）とが対応するか否かを検査することにより、申込者が第１の情報で確認可能な個人であることが判別でき、本人確認が正確かつ迅速に行える効果がある。
【００６３】
また、第１の情報と第２の情報を通信媒体を介して受け取るようにしたこと、および会員登録の処理に手作業で行う手順が含まれないことにより、会員登録の処理が高速化される効果がある。
【００６４】
また、第１の情報がクレジット・カードのカード番号であり、第２の情報がクレジット・カードの暗証番号である場合には、会員登録の申込者がクレジット・カードの正当な所有者か否かを判別できるので、正当な所有者以外がクレジット・カードを悪用して会員登録を行うことを防止できる効果がある。
【００６５】
また、第１の情報と第２の情報とを別々の通信媒体を介して受け取るようにしたことにより、他者（ハッカー等）により情報が盗み取られにくくなり、セキュリティが強化される効果がある。
【図面の簡単な説明】
【図１】図１は、本考案の一実施形態の会員登録の手続を行う装置の全体的な構成を示す。
【図２】図２は、会員登録装置の動作を示すフローチャートであり、このフローチャートは図４へ続く。
【図３】図３は、図２のフローチャートから続く会員登録装置の動作を示すフローチャートである。
【符号の説明】
１　会員登録装置、２　端末装置、３　電話機、４　クレジット会社の情報処理装置、５　Ｗｅｂサーバ、６　音声応答装置、７　登録サーバ、８　新規登録受付部、９　処理部、１０　記憶部、１１　通信ネットワーク、１２　電話回線、１３　通信回線
【図１】
0003096874.tif 000003
【図２】
0003096874.tif 000004
【図３】
0003096874.tif 000005